(57)【要約】【課題】コモンモードノイズを低減させることができるノイズフィルタおよびノイズフィルタ回路を提供することを目的とする。【解決手段】第３のコイル１４を第１の出力用外部電極１８を介して第１のコイル１２に接続するとともに、第４のコイル１５を第２の出力用外部電極１９を介して第２のコイル１３に接続し、一対の入力用外部電極１６，１７から同方向に信号を入力したとき第１のコイル１２に流れる電流と第２のコイル１３に流れる電流とが互いに同方向に流れ、かつ第３のコイル１４に流れる電流と第４のコイル１５に流れる電流とが互いに逆方向に流れるように構成したものである。【選択図】図３
2007129291.tif 000002
【特許請求の範囲】
【請求項１】
積層された複数の絶縁層と、前記複数の絶縁層に設けられた第１〜第４のコイルと、前記複数の絶縁層の側面に形成された一対の入力用外部電極、一対の出力用外部電極および一対のグランド用外部電極とを備え、前記第１のコイルを前記一対の入力用外部電極における一方の入力用外部電極と前記一対の出力用外部電極における一方の出力用外部電極とに接続し、前記第２のコイルを前記一対の入力用外部電極における他方の入力用外部電極と前記一対の出力用外部電極における他方の出力用外部電極とに接続し、前記第３のコイルを前記一方の出力用外部電極を介して前記第１のコイルに接続するとともに前記一対のグランド用外部電極における一方のグランド用外部電極に接続し、前記第４のコイルを前記他方の出力用外部電極を介して前記第２のコイルに接続するとともに前記一対のグランド用外部電極における他方のグランド用外部電極に接続し、前記一対の入力用外部電極から同方向に入力したとき前記第１のコイルに流れる電流と第２のコイルに流れる電流とが互いに同方向に流れ、かつ前記第３のコイルに流れる電流と第４のコイルに流れる電流とが互いに逆方向に流れるように構成したノイズフィルタ。
【請求項２】
第３のコイルと第４のコイルのインピーダンスを、第１のコイルと第２のコイルのインピーダンスより高くした請求項１記載のノイズフィルタ。
【請求項３】
第３のコイルと第４のコイルの巻数を、第１のコイルと第２のコイルの巻数より多くした請求項１記載のノイズフィルタ。
【請求項４】
第３のコイルと第４のコイルの線径を、第１のコイルと第２のコイルの線径より細くした請求項１記載のノイズフィルタ。
【請求項５】
第１のコイルと第２のコイルからなる第１のコモンモードノイズフィルタと、第３のコイルと第４のコイルからなる第２のコモンモードノイズフィルタと、前記第１のコイルと第２のコイルの各一端部と接続された一対の入力端子と、前記第１のコイルと第２のコイルの各他端部と接続された一対の第１の出力端子と、前記第３のコイルと第４のコイルの各一端部と接続された一対の第２の出力端子とを備え、前記第１のコイルの他端部と前記第３のコイルの他端部とを接続するとともに、前記第２のコイルの他端部と前記第４のコイルの他端部とを接続し、前記一対の入力端子から同方向に信号を入力したとき前記第１のコイルに流れる電流と第２のコイルに流れる電流とが互いに同方向に流れ、かつ前記第３のコイルに流れる電流と第４のコイルに流れる電流とが互いに逆方向に流れるように前記第１のコモンモードノイズフィルタと第２のコモンモードノイズフィルタを接続したノイズフィルタ回路。
【請求項６】
第３のコイルと第４のコイルのインピーダンスを、第１のコイルと第２のコイルのインピーダンスより高くした請求項５記載のノイズフィルタ回路。
【発明の詳細な説明】
【技術分野】
【０００１】
本発明は、デジタル機器やＡＶ機器、情報通信端末等の各種電子機器に使用されるノイズフィルタおよびノイズフィルタ回路に関するものである。
【背景技術】
【０００２】
従来のこの種のノイズフィルタは、図６に示すように、第１、第２の磁性体層１，２と、前記第１の磁性体層１および第２の磁性体層２の間に設けられた第１〜第５の非磁性体層３ａ〜３ｅとを有し、前記第１〜第５の非磁性体層３ａ〜３ｅに第１、第２のコイル４，５を形成している。
【０００３】
また、前記第１のコイル４は第１の引出電極６と渦巻き状の第１のコイル導体７とにより構成され、かつ第２のコイル５は渦巻き状の第２のコイル導体８と第２の引出電極９とにより構成されている。なお、前記第１の引出電極６は第１の非磁性体層３ａの上面に、かつ第１のコイル導体７は第２の非磁性体層３ｂの上面に、さらに第２のコイル導体８は第３の非磁性体層３ｃの上面に、そして第２の引出電極９は第４の非磁性体層３ｄの上面にそれぞれ設けられているものである。
【０００４】
そして、このノイズフィルタは、第１のコイル導体７と第２のコイル導体８を、第３の非磁性体層３ｃを介して対向させることによって、第１のコイル４と第２のコイル５を磁気結合させてコモンモード成分のインピーダンスを高くし、これにより、伝送線を通過するコモンモードノイズを反射させたり、内部で熱に変換させたりして、コモンモードノイズを除去するようにしていた。
【０００５】
なお、この出願の発明に関する先行技術文献情報としては、例えば、特許文献１が知られている。
【特許文献１】特開２００１−６０５１４号公報
【発明の開示】
【発明が解決しようとする課題】
【０００６】
上記した従来のノイズフィルタにおいては、反射したコモンモードが他の伝送線路に重畳したり、輻射したりする場合があるため、コモンモードノイズを低減させる効果が十分でないという課題を有していた。
【０００７】
本発明は上記従来の課題を解決するもので、コモンモードノイズを低減させることができるノイズフィルタおよびノイズフィルタ回路を提供することを目的とするものである。
【課題を解決するための手段】
【０００８】
上記目的を達成するために本発明は、以下の構成を有するものである。
【０００９】
本発明の請求項１に記載の発明は、積層された複数の絶縁層と、前記複数の絶縁層に設けられた第１〜第４のコイルと、前記複数の絶縁層の側面に形成された一対の入力用外部電極、一対の出力用外部電極および一対のグランド用外部電極とを備え、前記第１のコイルを前記一対の入力用外部電極における一方の入力用外部電極と前記一対の出力用外部電極における一方の出力用外部電極とに接続し、前記第２のコイルを前記一対の入力用外部電極における他方の入力用外部電極と前記一対の出力用外部電極における他方の出力用外部電極とに接続し、前記第３のコイルを前記一方の出力用外部電極を介して前記第１のコイルに接続するとともに前記一対のグランド用外部電極における一方のグランド用外部電極に接続し、前記第４のコイルを前記他方の出力用外部電極を介して前記第２のコイルに接続するとともに前記一対のグランド用外部電極における他方のグランド用外部電極に接続し、前記一対の入力用外部電極から同方向に入力したとき前記第１のコイルに流れる電流と第２のコイルに流れる電流とが互いに同方向に流れ、かつ前記第３のコイルに流れる電流と第４のコイルに流れる電流とが互いに逆方向に流れるように構成したもので、この構成によれば、コモンモードノイズが第３のコイルと第４のコイルに流入した場合、第３のコイルと第４のコイルのコモンモードインピーダンスが小さいため、コモンモードノイズを反射させることなくグランドに流すことができ、これにより、コモンモードノイズを低減させることができる。また、差動信号が第３のコイルと第４のコイルに流入した場合、第３のコイルと第４のコイルのディファレンシャルモードインピーダンスが大きいため、第３のコイルと第４のコイルを通過する差動信号を低減させることができ、これにより、差動信号はグランドに流れることなく出力用外部電極から確実に出力されるという作用効果が得られるものである。
【００１０】
本発明の請求項２に記載の発明は、特に、第３のコイルと第４のコイルのインピーダンスを、第１のコイルと第２のコイルのインピーダンスより高くしたもので、この構成によれば、第３のコイルと第４のコイルのディファレンシャルモードインピーダンスを高くすることができるため、低周波帯域における差動信号が第３のコイルと第４のコイルのディファレンシャルモードインピーダンスによりグランドに流れるということはなくなり、これにより、広帯域で使用することができるという作用効果が得られるものである。
【００１１】
本発明の請求項３に記載の発明は、特に、第３のコイルと第４のコイルの巻数を、第１のコイルと第２のコイルの巻数より多くしたもので、この構成によれば、第３のコイルと第４のコイルのディファレンシャルモードインピーダンスを高くすることができるため、低周波帯域における差動信号が第３のコイルと第４のコイルのディファレンシャルモードインピーダンスによりグランドに流れるということはなくなり、これにより、広帯域で使用することができるという作用効果が得られるものである。
【００１２】
本発明の請求項４に記載の発明は、特に、第３のコイルと第４のコイルの線径を、第１のコイルと第２のコイルの線径より細くしたもので、この構成によれば、第３のコイルと第４のコイルのディファレンシャルモードインピーダンスを高くすることができるため、低周波帯域における差動信号がグランドに流れるということはなくなり、これにより、広帯域で使用することができるという作用効果が得られるものである。
【００１３】
本発明の請求項５に記載の発明は、第１のコイルと第２のコイルからなる第１のコモンモードノイズフィルタと、第３のコイルと第４のコイルからなる第２のコモンモードノイズフィルタと、前記第１のコイルと第２のコイルの各一端部と接続された一対の入力端子と、前記第１のコイルと第２のコイルの各他端部と接続された一対の第１の出力端子と、前記第３のコイルと第４のコイルの各一端部と接続された一対の第２の出力端子とを備え、前記第１のコイルの他端部と前記第３のコイルの他端部とを接続するとともに、前記第２のコイルの他端部と前記第４のコイルの他端部とを接続し、前記一対の入力端子から同方向に信号を入力したとき前記第１のコイルに流れる電流と第２のコイルに流れる電流とが互いに同方向に流れ、かつ前記第３のコイルに流れる電流と第４のコイルに流れる電流とが互いに逆方向に流れるように前記第１のコモンモードノイズフィルタと第２のコモンモードノイズフィルタを接続したもので、この構成によれば、コモンモードノイズが第２のコモンモードノイズフィルタに流入した場合、この第２のコモンモードノイズフィルタを構成する第３のコイルと第４のコイルのコモンモードインピーダンスが小さいため、コモンモードノイズは第２のコモンモードノイズフィルタを通過してグランドに流れることになり、これにより、コモンモードノイズを低減させることができる。また、差動信号が第２のコモンモードノイズフィルタに流入した場合、この第２のコモンモードノイズフィルタを構成する第３のコイルと第４のコイルとのディファレンシャルインピーダンスが大きいため、第２のコモンモードノイズフィルタを通過する差動信号を低減させることができ、これにより、差動信号はグランドに流れることなく、出力端子から確実に出力されるという作用効果が得られるものである。
【００１４】
本発明の請求項６に記載の発明は、特に、第３のコイルと第４のコイルのインピーダンスを、第１のコイルと第２のコイルのインピーダンスより高くしたもので、この構成によれば、第３のコイルと第４のコイルのディファレンシャルモードインピーダンスを大きくすることができるため、低周波帯域における差動信号がグランドに流れるということはなくなり、これにより、広帯域で使用することができるという作用効果が得られるものである。
【発明の効果】
【００１５】
以上のように本発明のノイズフィルタは、入力用外部電極から同方向に信号を入力したとき第１のコイルに流れる電流と第２のコイルに流れる電流とが互いに同方向に流れ、かつ第３のコイルに流れる電流と第４のコイルに流れる電流とが互いに逆方向に流れるように構成しているため、コモンモードノイズが第３のコイルと第４のコイルに流入した場合、第３のコイルと第４のコイルはコモンモードインピーダンスが小さくなり、これにより、コモンモードノイズを反射させることなくグランドに流すことができるため、コモンモードノイズを低減させることができる。また、差動信号が第３のコイルと第４のコイルに流入した場合、第３のコイルと第４のコイルとのディファレンシャルモードインピーダンスが大きいため、第３のコイルと第４のコイルを通過する差動信号を低減させることができ、これにより、差動信号がグランドに流れることなく出力用外部電極から確実に出力されるという優れた効果を有するものである。
【発明を実施するための最良の形態】
【００１６】
（実施の形態１）
以下、実施の形態１を用いて、本発明の特に請求項１と５に記載の発明について説明する。
【００１７】
図１は本発明の実施の形態１におけるノイズフィルタの分解斜視図、図２は同ノイズフィルタの斜視図である。
【００１８】
本発明の実施の形態１におけるノイズフィルタは、図１、図２に示すように、積層された第１〜第８の絶縁層１１ａ〜１１ｈと、前記第１〜第８の絶縁層１１ａ〜１１ｈに設けられた第１〜第４のコイル１２〜１５とを備え、そして前記第１〜第８の絶縁層１１ａ〜１１ｈの側面には、図２に示すように、一対の入力用外部電極を構成する第１、第２の入力用外部電極１６，１７と、一対の出力用外部電極を構成する第１、第２の出力用外部電極１８，１９を形成している。
【００１９】
また、前記第１〜第４のコイル１２〜１５は、前記第１、第２の入力用外部電極１６，１７から同方向に信号を入力したとき前記第１のコイル１２に流れる電流と前記第２のコイル１３に流れる電流とが互いに同方向に流れ、前記第３のコイル１４に流れる電流と前記第４のコイル１５に流れる電流とが互いに逆方向に流れるように構成している。
【００２０】
上記構成において、前記第１〜第８の絶縁層１１ａ〜１１ｈは、上下方向に積層され、下から第１の絶縁層１１ａ、第２の絶縁層１１ｂ、第３の絶縁層１１ｃ、第４の絶縁層１１ｄ、第５の絶縁層１１ｅ、第６の絶縁層１１ｆ、第７の絶縁層１１ｇ、第８の絶縁層１１ｈの順に形成されている。また、この第１〜第８の絶縁層１１ａ〜１１ｈはＦｅ2Ｏ3をベースとしたフェライトなどの磁性材料により構成されている。
【００２１】
前記第１のコイル１２は、第７の絶縁層１１ｇの上面に渦巻き状に銀などの導電材料をめっきすることにより形成されている。また、この第１のコイル１２の上面には第８の絶縁層１１ｈが形成され、そしてこの第８の絶縁層１１ｈの上面には第１の引出導体２１が設けられている。また、この第８の絶縁層１１ｈにはバイア電極２２ａが形成され、そしてこのバイア電極２２ａを介して前記第１のコイル１２と第１の引出導体２１を接続している。
【００２２】
また、前記第１のコイル１２は一端が第１の出力用外部電極１８に接続され、かつ他端が第１の引出導体２１を介して第１の入力用外部電極１６に接続されている。
【００２３】
前記第２のコイル１３は、第７の絶縁層１１ｇの下面側に位置する第６の絶縁層１１ｆの上面に渦巻き状に銀などの導電材料をめっきすることにより形成されている。また、この第６の絶縁層１１ｆの下面には第２の引出導体２３が形成され、そしてこの第２の引出導体２３の下面には第５の絶縁層１１ｅが設けられている。また、前記第６の絶縁層１１ｆにはバイア電極２２ｂが形成され、そしてこのバイア電極２２ｂを介して前記第２のコイル１３と第２の引出導体２３とを接続している。
【００２４】
また、前記第２のコイル１３は一端が第２の出力用外部電極１９に接続され、かつ他端が第２の引出導体２３を介して第２の入力用外部電極１７に接続されている。
【００２５】
前記第３のコイル１４は、第３の絶縁層１１ｃの上面に渦巻き状に銀などの導電材料をめっきすることにより形成されている。また、この第３のコイル１４の上面には第４の絶縁層１１ｄが形成され、そしてこの第４の絶縁層１１ｄの上面には第３の引出導体２４が設けられている。また、前記第４の絶縁層１１ｄにはバイア電極２２ｃが形成され、そしてこのバイア電極２２ｃを介して前記第３のコイル１４と第３の引出導体２４とを接続している。
【００２６】
また、前記第３のコイル１４は一端が第１の出力用外部電極１８に接続され、かつ他端が第３の引出導体２４を介して第４の絶縁層１１ｄの側面に形成された第１のグランド用外部電極２５に接続されている。すなわち、第３のコイル１４は第１の出力用外部電極１８を介して第１のコイル１２に接続され、そして第１の入力用外部電極１６から印加された電流は、第１のコイル１２、第１の出力用外部電極１８を介して第３のコイル１４にも流入するものである。
【００２７】
前記第４のコイル１５は、第３の絶縁層１１ｃの下面側に位置する第２の絶縁層１１ｂの上面に渦巻き状に銀などの導電材料をめっきすることにより形成されている。また、この第２の絶縁層１１ｂの下面には第４の引出導体２６が形成され、そしてこの第４の引出導体２６の下面には第１の絶縁層１１ａが設けられている。また、前記第２の絶縁層１１ｂにはバイア電極２２ｄが形成され、そしてこのバイア電極２２ｄを介して前記第４のコイル１５と第４の引出導体２６とを接続している。
【００２８】
また、前記第４のコイル１５は一端が第２の出力用外部電極１９に接続され、かつ他端が第４の引出導体２６を介して第２の絶縁層１１ｂの側面に形成された第２のグランド用外部電極２７に接続されている。すなわち、第４のコイル１５は第２の出力用外部電極１９を介して第２のコイル１３に接続され、そして第２の入力用外部電極１７から印加された電流は、第２のコイル１３、第２の出力用外部電極１９を介して第４のコイル１５にも流入するものである。
【００２９】
なお、前記第１〜第４のコイル１２〜１５の形状は、渦巻き状に限定されるものではなく、螺旋状、蛇行状等の他の形状であっても構わない。しかし、渦巻き状にすれば、１層当たりのターン数を増やすことができるため、薄型化が可能となるものである。また、第１〜第４のコイル１２〜１５、第１〜第４の引出導体２１，２３，２４，２６は、めっきで形成するのではなく、その他の印刷や蒸着等の方法で形成してもよい。
【００３０】
さらに、前記第１の絶縁層１１ａの下部と第１の引出導体２１の上部には、所定枚数のダミー絶縁層２８がそれぞれ形成されているもので、これらのダミー絶縁層２８および前記第１〜第８の絶縁層１１ａ〜１１ｈの枚数は、図１に示された枚数に限定されるものではない。
【００３１】
そして、上記した構成により、図２に示すようなノイズフィルタの本体部２９が形成され、かつこの本体部２９の両側部には、前述した一対の入力用外部電極を構成する第１、第２の入力用外部電極１６，１７と、一対の出力用外部電極を構成する第１、第２の出力用外部電極１８，１９と、一対のグランド用外部電極を構成する第１、第２のグランド用外部電極２５，２７が銀を印刷することによって形成されている。また、これらの外部電極１６，１７，１８，１９，２５，２７の表面には、ニッケルめっき層、すずめっき層が施されている。
【００３２】
図３は本発明の実施の形態１におけるノイズフィルタを含む回路図を示したもので、第１、第２のコイル１２，１３からなる第１のコモンモードノイズフィルタ３１と、第３、第４のコイル１４，１５からなる第２のコモンモードノイズフィルタ３２は図３に示すように接続されているものである。
【００３３】
すなわち、図３に示すノイズフィルタを含む回路図では、第１、第２のコイル１２，１３の各一端部と接続された一対の入力端子３３，３４と、第１、第２のコイル１２，１３の各他端部と接続された一対の第１の出力端子３５，３６と、第３、第４のコイル１４，１５の各一端部と接続された一対の第２の出力端子３７，３８とを備え、そして第１のコイル１２の他端部と第３のコイル１４の他端部とを接続するとともに、第２のコイル１３の他端部と第４のコイル１５の他端部とを接続し、前記一対の入力端子３３，３４から同方向に信号を入力したとき（コモンモードノイズが印加されたとき）第１のコイル１２に流れる電流と第２のコイル１３に流れる電流とが互いに同方向に流れ、かつ第３のコイル１４に流れる電流と第４のコイル１５に流れる電流とが互いに逆方向に流れるように構成されている。
【００３４】
そして、上記したような回路を図１のように１パッケージ化することにより部品点数を減らすことができるものである。
【００３５】
ここで、差動信号は通常、入力端子３３，３４（第１、第２の入力用外部電極１６，１７）から第１の出力端子３５，３６（第１、第２の出力用外部電極１８，１９）へ流れるが、第２の出力端子３７，３８（第１、第２のグランド用外部電極２５，２７）をグランドに接続することにより、コモンモードノイズをグランドに落とすことができ、また、差動信号がグランドに落ちるのも抑えることができるものである。
【００３６】
次に、本発明の実施の形態１におけるノイズフィルタの製造方法について説明する。
【００３７】
図１、図２において、まず、それぞれの原材料である磁性材料の粉体および樹脂からなる混合物により、方形の第１〜第８の絶縁層１１ａ〜１１ｈ、ダミー絶縁層２８をそれぞれ所定枚数作製する。このとき、第２、第４、第６、第８の絶縁層１１ｂ，１１ｄ，１１ｆ，１１ｈの所定箇所に、レーザ、パンチングなどで孔あけ加工をし、この孔に銀を充填して、バイア電極２２ａ〜２２ｄを形成する。
【００３８】
次に、所定枚数のダミー絶縁層２８の上面に、第１の絶縁層１１ａを配置する。
【００３９】
次に、第１の絶縁層１１ａの上面に、第４の引出導体２６をめっきによって形成する。
【００４０】
次に、第４の引出導体２６の上面に、バイア電極２２ｄが設けられた第２の絶縁層１１ｂを配置する。このとき、第４の引出導体２６とバイア電極２２ｄとを接続する。
【００４１】
次に、この第２の絶縁層１１ｂの上面に、第４のコイル１５をめっきによって形成する。このとき、第４のコイル１５とバイア電極２２ｄとを接続する。
【００４２】
次に、第４のコイル１５の上面に、第３の絶縁層１１ｃを配置し、その後、この第３の絶縁層１１ｃの上面に、第３のコイル１４をめっきによって形成する。
【００４３】
次に、第３のコイル１４の上面に、バイア電極２２ｃが設けられた第４の絶縁層１１ｄを配置する。このとき、第３のコイル１４とバイア電極２２ｃとを接続する。
【００４４】
次に、第４の絶縁層１１ｄの上面に、第３の引出導体２４をめっきによって形成する。このとき、第３の引出導体２４とバイア電極２２ｃとを接続する。その後、第３の引出導体２４の上面に第５の絶縁層１１ｅを配置する。
【００４５】
次に、第５の絶縁層１１ｅの上面に、第２の引出導体２３をめっきによって形成する。
【００４６】
次に、第２の引出導体２３の上面に、バイア電極２２ｂが設けられた第６の絶縁層１１ｆを配置する。このとき、第２の引出導体２３とバイア電極２２ｂとを接続する。
【００４７】
次に、この第６の絶縁層１１ｆの上面に、第２のコイル１３をめっきによって形成する。このとき、第２のコイル１３とバイア電極２２ｂとを接続する。
【００４８】
次に、第２のコイル１３の上面に、第７の絶縁層１１ｇを配置し、その後、この第７の絶縁層１１ｇの上面に、第１のコイル１２をめっきによって形成する。
【００４９】
次に、第１のコイル１２の上面に、バイア電極２２ａが設けられた第８の絶縁層１１ｈを配置する。このとき、第１のコイル１２とバイア電極２２ａとを接続する。
【００５０】
次に、第８の絶縁層１１ｈの上面に、第１の引出導体２１をめっきによって形成する。このとき、第１の引出導体２１とバイア電極２２ａとを接続する。
【００５１】
なお、第１〜第４のコイル１２〜１５、第１〜第４の引出導体２１，２３，２４，２６の形成方法は、別途用意したベース板（図示せず）に所定パターン形状の導体をめっきによって形成し、その後、この導体を各絶縁層に転写することにより形成する。
【００５２】
次に、第１の引出導体２１の上面に、所定枚数のダミー絶縁層２８を配置して本体部２９を形成する。
【００５３】
次に、本体部２９を所定の温度、時間で焼成する。
【００５４】
次に、本体部２９の両側面に銀を印刷して、一対の入力用外部電極１６，１７、一対の出力用外部電極１８，１９、一対のグランド用外部電極２５，２７を形成する。
【００５５】
最後に、各外部電極１６〜１９、２５，２７の表面に、めっきによってニッケルめっき層、すずめっき層を形成する。
【００５６】
上記した本発明の実施の形態１においては、一対の入力用外部電極１６，１７から同方向に信号を入力したとき第１のコイル１２に流れる電流と第２のコイル１３に流れる電流とが互いに同方向に流れ、かつ第３のコイル１４に流れる電流と第４のコイル１５に流れる電流とが互いに逆方向に流れるように構成しているため、コモンモードノイズが第３のコイル１４と第４のコイル１５に流入した場合、第３のコイル１４と第４のコイル１５はコモンモードインピーダンスが小さくなり、これにより、コモンモードノイズは反射することなく通過してコモンモードノイズをグランドに流すことができるため、コモンモードノイズを低減させることができる。また、差動信号が第３のコイル１４と第４のコイル１５に流入した場合、第３のコイル１４と第４のコイル１５とのディファレンシャルモードインピーダンスが大きいため、第３のコイル１４と第４のコイル１５を通過する差動信号を低減させることができ、これにより、差動信号がグランドに流れるのを防止できるため、差動信号はほとんど損失なく出力用外部電極１８，１９から確実に出力されるものである。
【００５７】
すなわち、第１、第２の入力用外部電極１６，１７からコモンモードノイズが印加されたとき、第１のコイル１２に流れる電流と第２のコイル１３に流れる電流とが互いに同方向（図１の場合、上面視にて反時計回り）に流れ、これにより、第１のコイル１２と第２のコイル１３が磁気結合してコモンモード成分のインピーダンスが高くなるため、コモンモードノイズを除去することができ、また第３のコイル１４は第１の出力用外部電極１８を介して第１のコイル１２と接続され、かつ第４のコイル１５は第２の出力用外部電極１９を介して第２のコイル１３と接続されているため、第３のコイル１４と第４のコイル１５にコモンモードノイズが流れる場合があるが、このような場合においても、上記したようにコモンモードノイズを除去できるもので、したがって、コモンモードノイズに対しては、２段階で除去することができるものである。一方、差動信号については、第１のコイル１２に流れる電流と第２のコイル１３に流れる電流とが互いに逆方向に流れるため、第１のコイル１２と第２のコイル１３が磁気を打ち消しあうように結合するため、差動信号は第１のコイル１２と第２のコイル１３を通過し、さらに、第３のコイル１４と第４のコイル１５に差動信号が流れてきても第３のコイル１４と第４のコイル１５は磁気を強め合うように結合する（ディファレンシャルモードインピーダンスが大きくなる）ため、差動信号は第３のコイル１４と第４のコイル１５を通過することができず、これにより、差動信号がグランドに落ちるのを防止できるため、差動信号が低減することはないものである。
【００５８】
（実施の形態２）
以下、実施の形態２を用いて、本発明の特に請求項２〜４と６に記載の発明について説明する。
【００５９】
図４は本発明の実施の形態２におけるノイズフィルタの斜視図である。なお、この本発明の実施の形態２においては、上記した本発明の実施の形態１と同様の構成を有するものについては、同一符号を付し、その説明は省略する。
【００６０】
図４において、本発明の実施の形態２が上記した本発明の実施の形態１と相違する点は、第３、第４のコイル１４，１５の巻数を、第１、第２のコイル１２，１３の巻数より多くした点である。
【００６１】
このような構成とすることにより、第３、第４のコイル１４，１５のインピーダンスを高くすることができるため、第３、第４のコイル１４，１５のディファレンシャルモードインピーダンスを大きくすることができ、これにより、低周波帯域での差動信号がグランドに流れるのも防止できるため、広帯域で使用できるという効果が得られるものである。
【００６２】
図５は差動信号を流したときの周波数に対する挿入損失（伝送特性）について、第３、第４のコイル１４，１５の巻数と第１、第２のコイル１２，１３の巻数との差による比較をした比較図である。
【００６３】
図５において、Ａは第１〜第４のコイル１２〜１５の巻数がほぼ同一であるノイズフィルタの伝送特性を表し、Ｂは第３、第４のコイル１４，１５の巻数が第１、第２のコイル１２，１３の巻数の約１．５倍であるノイズフィルタの伝送特性を表したものである。なお、他の構造、材料は同一のものを使用しているものである。
【００６４】
図５から明らかなように、第３、第４のコイル１４，１５の巻数を、第１、第２のコイル１２，１３の巻数より多くしたＢの伝送特性の方が、Ａの伝送特性に比べて、低周波帯域における差動信号の挿入損失が小さいことがわかる。
【００６５】
なお、上記本発明の実施の形態２におけるノイズフィルタにおいては、第３、第４のコイル１４，１５のインピーダンスを高くするために、第３、第４のコイル１４，１５の巻数を、第１、第２のコイル１２，１３の巻数より多くしているが、第３、第４のコイル１４，１５の線径を、第１、第２のコイル１２，１３の線径より細くした場合でも、第３、第４のコイル１４，１５のインピーダンスを高くすることができるものである。
【００６６】
また、上記本発明の実施の形態１，２におけるノイズフィルタにおいては、第１〜第４のコイル導体１２〜１５をそれぞれ１個設けたものについて説明したが、第１〜第４のコイル導体１２〜１５をそれぞれ複数形成し、アレイタイプとしてもよいものである。
【００６７】
そしてまた、上記本発明の実施の形態１，２におけるノイズフィルタにおいては、説明の便宜上入力端子３３，３４（第１、第２の入力用外部電極１６，１７）、出力端子３５，３６，３７，３８（第１、第２の出力用外部電極１８，１９）という表現を用いたが、入力端子と出力端子が入れ替わっても同等の作用効果が得られるものである。
【産業上の利用可能性】
【００６８】
本発明にかかるノイズフィルタは、コモンモードノイズを低減させることができるという効果を有し、デジタル機器やＡＶ機器、情報通信端末等の各種電子機器のノイズ対策として使用されるノイズフィルタやノイズフィルタ回路などにおいて有用となるものである。
【図面の簡単な説明】
【００６９】
【図１】本発明の実施の形態１におけるノイズフィルタの分解斜視図
【図２】同ノイズフィルタの斜視図
【図３】同ノイズフィルタを含む回路図
【図４】本発明の実施の形態２におけるノイズフィルタの分解斜視図
【図５】差動信号を流したときの周波数に対する挿入損失（伝送特性）について、第３、第４のコイルの巻数と第１、第２のコイルの巻数との差による比較をした比較図
【図６】従来のノイズフィルタの分解斜視図
【符号の説明】
【００７０】
１１ａ〜１１ｈ  絶縁層
１２  第１のコイル
１３  第２のコイル
１４  第３のコイル
１５  第４のコイル
１６  第１の入力用外部電極
１７  第２の入力用外部電極
１８  第１の出力用外部電極
１９  第２の出力用外部電極
２５  第１のグランド用外部電極
２７  第２のグランド用外部電極
３１  第１のコモンモードノイズフィルタ
３２  第２のコモンモードノイズフィルタ
３３，３４  入力端子
３５，３６  第１の出力端子
３７，３８  第２の出力端子
【図１】
2007129291.tif 000003
【図２】
2007129291.tif 000004
【図３】
2007129291.tif 000005
【図４】
2007129291.tif 000006
【図５】
2007129291.tif 000007
【図６】
2007129291.tif 000008